【事件の表示】
　平成　４年特許願第３２４８７３号「光ディスクおよびこの光ディスクを使用する光ディスク装置」拒絶査定に対する審判事件［平成６年５月３１日出願公開、特開平　６−１５０３３０］について、次のとおり審決する。
【結　論】
　本件審判の請求は、成り立たない。
【理　由】
１．手続の経緯・本願発明
　本願は、平成４年１１月１０日の出願であって、その請求項１に係る発明は、平成１２年７月１１日付の手続補正書により補正された明細書及び図面の記載からみて、その特許請求の範囲の請求項１に記載された次のとおりのものと認める。（以下、「本願発明」という。）
　「データピットが形成されるデータ記録領域と、このデータ記録領域に沿ってディスクの半径方向のどの位置においても円周方向に一定周期となるクロックピットが形成されたクロック信号の記録領域とを有する光ディスクを使用する光ディスク装置において、
　この光ディスクを常に一定の回転数にて回転させるディスク駆動手段と、前記データ記録領域と前記クロック信号記録領域にそれぞれ光のスポットを形成するようにレーザビームを照射する照射手段と、前記データ記録領域に照射されたレーザビームの反射光を受光する第１検出部と、前記クロック信号記録領域に照射されたレーザビームの反射光を受光する第２検出部と、前記第２検出部から出力される前記クロックピットに基づくクロック受光信号に連続して同期させて前記第１検出部から出力される前記データピットに基づくデータ信号を復調するデータ処理部とが設けられていることを特徴とする光ディスク装置。」
２．引用刊行物記載の発明　
　これに対して、当審の拒絶の理由に引用した、特開昭６３−７６１２４号公報（以下、「引用刊行物１」という。）には、次の事項からなる発明が記載されている。
（１）「ディスクの回転中心を中心として同心円状または渦巻状に案内トラックがプリフォーマットされた光情報記録ディスクにおいて、上記案内トラックをデータクロックと対応する案内ピット列にて形成したことを特徴とする光情報記録ディスク。」（特許請求の範囲第１項）
（２）「光情報記録ディスクを一定角速度で駆動しつつ情報の記録を行う方式（ＣＡＶ方式）のディスク駆動装置については、ディスクの回転中心に対する再生領域の半径位置にかかわらず単一のデータクロックを固定しておけば足るので、例えば新たなデータを未記録領域に後書きする場合には、そのときのデータクロックを比較的簡単な構造のＶＦＯ信号を書き込むことによって行うことができる。
　然るに、ビームスポットが信号面を一定線速度で移動するように光情報記録ディスクの回転速度を調整して情報の記録を行う方式（ＣＬＶ方式）のディスク駆動装置や、光情報記録ディスクの記録領域を半径方向に複数個のブロックに分割し、各ブロック毎にＣＡＶモードで情報の記録を行う方式（ＭＣＡＶ方式）のディスク駆動装置については、ディスクの回転中心に対する再生領域の半径位置によってデータクロックが変化するため、例えば新たなデータを未記録領域に後書きするなどの操作を行うためには、複雑かつ大型のＶＦＯ信号構造を必要とするという問題がある。」（第２頁左上欄第８行目〜右上欄第８行目）
（３）「本発明は上記の知見に基づいてなされたものであって、ＣＬＶ方式やＭＣＡＶ方式の光情報記録ディスクに適用されるディスク駆動装置のＶＦＯ回路の小型化、簡略化を図るため、回転中心を中心として同心円状または渦巻状の案内トラックがプリフォーマットされた光情報記録ディスクにおいて、上記案内トラックをデータクロックと対応する案内ピット列にて形成したことを特徴とするものである。」（第２頁左下欄第１４行目〜右下欄第２行目）
（４）「上記案内ピット列１は、……半径方向に相隣接する案内ピット列１，１の間隔（トラックピッチ）ｐは、記録領域の内周部から外周部に至るまで一定の間隔に形成されている。」（第２頁右下欄第２０行目〜第３頁左上欄第５行目）
（５）「データピット列２は、上記案内ピット列１の中間領域に形成される。このデータピット列２を構成する各データピット４の幅は、上記案内ピット列１と干渉しない程度の任意の幅に形成可能である」（第３頁右上欄第１０行目〜第１４行目）
（６）「データクロックと対応する案内ピット列によってレーザスポットをトラッキングするようにしたので、再生中、当該再生部のデータピットとともにこれと対応するデータクロックを常に読み出すことができる。」（第４頁右上欄第１４行目〜第１８行目）
　
　以上の記載を総合すれば引用刊行物１には以下の発明が記載されていると認められる。
「ディスクの回転中心を中心として同心円状または渦巻状に案内トラックがプリフォーマットされた光情報記録ディスクにおいて、光情報記録ディスクの半径方向に等間隔で相隣接する案内ピット列の中間領域にデータピット列が形成されるとともに、該案内ピット列はデータクロックと対応するように形成され、ＣＬＶ方式やＭＣＡＶ方式のディスク駆動装置で駆動され、ビームスポットが信号面に照射されて再生部のデータピットとともにこれと対応するデータクロックを常に読み出すことができる光情報記録ディスク装置。」
　また、同じく当審の拒絶の理由に引用した、特開昭６３−２６３６６７号公報（以下、「引用刊行物２」という。）には、次の事項が記載されている。
（７）「本発明は……当該光情報記録ディスクを角速度一定で回転駆動したとき、前記データクロック信号の周波数がトラック半径に比例して大きくなるように前記データクロック信号をプリフォーマットしたことを特徴とするものである。……また、光情報記録ディスクを角速度一定で回転駆動したとき、前記データクロック信号の周波数がトラック半径に比例して大きくなるようにプリフォーマットすると外周に至るに従ってデータクロック信号の周波数が高くなるので、記録密度がディスクの内周部及び外周部に関わらず一定になり、ＣＬＶと同等の記録密度を得ることができる。」（第２頁左下欄第１行目〜右下欄第５行目）
　
３．対比
　本願発明と引用刊行物１に記載された発明とを対比すると、引用刊行物１に記載された、データピット列２が形成される領域、及び、案内ピット列１の形成される領域は本願発明の「データピットが形成されるデータ記録領域」及び「クロック信号の記録領域」に相当することは明らかであり、レーザビームの反射光を受光する検出部を有することも明らかである。また、案内ピット列はデータクロックと対応するように形成されていることから、ディスクの半径方向のどの位置においても円周方向に一定周期となるクロックピットであることも明らかである。したがって両者は
「データピットが形成されるデータ記録領域と、このデータ記録領域に沿ってディスクの半径方向のどの位置においても円周方向に一定周期となるクロックピットが形成されたクロック信号の記録領域とを有する光ディスクを使用する光ディスク装置において、
　この光ディスクを回転させるディスク駆動手段と、前記データ記録領域と前記クロック信号記録領域に光のスポットを形成するようにレーザビームを照射する照射手段と、照射されたレーザビームの反射光を受光する検出部と、前記検出部から出力される前記クロックピットに基づくクロック受光信号に連続して同期させて前記データピットに基づくデータ信号を復調するデータ処理部とが設けられていることを特徴とする光ディスク装置。」である点で一致し、以下の点で相違している。
　相違点Ａ．
　本願発明では、光ディスクを常に一定の回転数にて回転させるのに対し、引用刊行物１に記載された発明では、ＣＬＶまたはＭＣＡＶ方式を用いている点。
　相違点Ｂ．
　本願発明では、データ記録領域とクロック信号記録領域にそれぞれ光のスポットを形成するようにレーザビームを照射する照射手段と、前記データ記録領域に照射されたレーザビームの反射光を受光する第１検出部と、前記クロック信号記録領域に照射されたレーザビームの反射光を受光する第２検出部とを有するのに対し、引用刊行物１に記載された発明では照射手段および検出手段が１つずつである点。
　
４．当審の判断
　光ディスクを常に一定の回転数にて回転させる構成を有する発明は、引用刊行物２に記載されている。そして引用刊行物２に記載された発明は、光ディスク装置において光ディスクの半径方向の位置にかかわらず同じ記録密度で記録できるようにしている点で、引用刊行物１に記載された発明と同じ技術分野に属するとともにするとともに、回転速度を常に一定とすることで高密度記録可能でありながら回路構成が簡単になるという本願発明と同様の効果を有しているものと認められる。
　また、情報再生用と制御用の照射手段と検出手段をそれぞれ独立に設けるようなことは、普通に行われていることに過ぎない。（必要なら特開昭６４−６４１４２号公報，特開平２−１７９９３５号公報（以下「参考例」という。）参照））
　そして、これらはいずれも光情報記録装置である点で同じ技術分野に属するものであるから、引用刊行物１に記載された発明において、引用刊行物２に記載されたように速度制御するとともに照射手段と検出手段を複数設けて本願発明の構成とすることは当業者が容易になし得たことと認められる。
　また、本願発明の奏する効果は各引用刊行物および上記参考例に記載の事項から予測し得る程度のものと認められる。
　
５．結び
　したがって、本願発明は、引用刊行物１，２に記載された発明および上記参考例のような周知技術に基づいて当業者が容易に発明をすることができたものであるから、特許法第２９条２項の規定により特許を受けることができない。
　よって、結論のとおり審決する。